(57)【要約】【課題】複数の電動送風機を備え、いずれか１つ以上の電動送風機が電流遮断部の動作によって運転不可能状態になっても、他の健全な電動送風機の運転を継続可能な電気掃除機を提案する。【解決手段】電気掃除機１は、掃除機本体２に収容された複数の電動送風機９ａ、９ｂと、ぞれぞれの電動送風機９ａ、９ｂに直列に接続され、ぞれぞれの電動送風機９ａ、９ｂに流される電流を遮断する複数の電流遮断部２４ａ、２４ｂと、電動送風機９ａ、９ｂに流される電流を検出する電流検出部２３と、電流遮断部２４ａ、２４ｂによって電流が遮断されたことを、電流検出部２３で検出された電流値に基づいて判断するとともに、いずれか１つの電動送風機９ａ、９ｂに流される電流が遮断されると、他の電動送風機９ａ、９ｂの運転を開始させる制御部２２と、を備える。【選択図】  図３
2010220979.tif 000002
【特許請求の範囲】
【請求項１】
掃除機本体と、
前記掃除機本体に収容された複数の電動送風機と、
ぞれぞれの前記電動送風機に直列に接続され、ぞれぞれの前記電動送風機に流される電流を遮断する複数の電流遮断部と、
前記電動送風機に流される電流を検出する電流検出部と、
前記電流遮断部によって電流が遮断されたことを、前記電流検出部で検出された電流値に基づいて判断するとともに、いずれか１つの前記電動送風機に流される電流が遮断されると、他の前記電動送風機の運転を開始させる制御部と、を備えたことを特徴とする電気掃除機。
【請求項２】
前記電流検出部は、前記電動送風機に流される電流の総和を検出していることを特徴とする請求項１に記載の電気掃除機。
【請求項３】
前記電流検出部は、それぞれの前記電動送風機に直列に接続され、それぞれの前記電動送風機に流される電流を検出していることを特徴とする請求項１に記載の電気掃除機。
【請求項４】
前記制御部は、複数の前記電動送風機を同時に運転している際に、いずれか１つの前記電動送風機に流される電流が遮断されると、他の前記電動送風機の運転出力を増加させることを特徴とする請求項１に記載の電気掃除機。
【発明の詳細な説明】
【技術分野】
【０００１】
本発明は、複数の電動送風機を備えた電気掃除機に関する。
【背景技術】
【０００２】
従来、掃除機本体と、掃除機本体に収容された複数の電動送風機と、それぞれの電動送風機に直列に接続され、電動送風機に印加される電圧を位相制御する複数のスイッチング素子と、それぞれのスイッチング素子に制御信号を出力する制御部と、を備えた電気掃除機が知られる（例えば、特許文献１参照）。
【先行技術文献】
【特許文献】
【０００３】
【特許文献１】特開２００７−２０７６５号公報
【発明の概要】
【発明が解決しようとする課題】
【０００４】
一般に、電気掃除機は、電動送風機に過加熱や過電流が生じた場合に電動送風機に流される電流を遮断する電流遮断部を備える。複数の電動送風機を備える電気掃除機では、それぞれの電動送風機に接続され、電動送風機に流される電流を遮断する複数の電流遮断部を備える。
【０００５】
従来の電気掃除機は、複数の電動送風機を備えるものの、例えば、いずれか１つの電流遮断部が動作すると、他に健全な電動送風機を有するにもかかわらず、運転を継続できないという問題があった。
【０００６】
本発明は、複数の電動送風機を備え、いずれか１つ以上の電動送風機が電流遮断部の動作によって運転不可能状態になっても、他の健全な電動送風機の運転を継続可能な電気掃除機を提案する。
【課題を解決するための手段】
【０００７】
前記の課題を解決するため本発明では、掃除機本体と、前記掃除機本体に収容された複数の電動送風機と、ぞれぞれの前記電動送風機に直列に接続され、ぞれぞれの前記電動送風機に流される電流を遮断する複数の電流遮断部と、前記電動送風機に流される電流を検出する電流検出部と、前記電流遮断部によって電流が遮断されたことを、前記電流検出部で検出された電流値に基づいて判断するとともに、いずれか１つの前記電動送風機に流される電流が遮断されると、他の前記電動送風機の運転を開始させる制御部と、を備えたことを特徴とする。
【発明の効果】
【０００８】
本発明によれば、複数の電動送風機を備え、いずれか１つ以上の電動送風機が電流遮断部の動作によって運転不可能状態になっても、他の健全な電動送風機の運転を継続可能な電気掃除機を提案できる。
【図面の簡単な説明】
【０００９】
【図１】本発明に係る電気掃除機の外観を示した図。
【図２】本発明に係る電気掃除機の掃除機本体を部分的に切り欠いて示した平面図。
【図３】本発明に係る電気掃除機を示したブロック図。
【図４】本発明に係る電気掃除機の運転切替制御を示したフローチャート。
【図５】本発明に係る電気掃除機の運転切替制御を示したフローチャート。
【図６】本発明に係る電気掃除機の運転切替制御を示したフローチャート。
【図７】本発明に係る電気掃除機の他の例を示したブロック図。
【図８】本発明に係る電気掃除機の運転切替制御の他の例を示したフローチャート。
【図９】本発明に係る電気掃除機の運転切替制御の他の例を示したフローチャート。
【図１０】本発明に係る電気掃除機の運転切替制御の他の例を示したフローチャート。
【発明を実施するための形態】
【００１０】
本発明に係る電気掃除機の実施形態について図１から図１０を参照して説明する。
【００１１】
図１は、本発明に係る電気掃除機の外観を示した図である。
【００１２】
図１に示すように、本実施形態に係る電気掃除機１は、掃除機本体２と、集塵ホース３と、手元操作管４と、把持部５と、操作部６と、延長管７と、吸込口体８と、を備える。
【００１３】
掃除機本体２は、集塵ホース３の一端が着脱自在に接続された接続口２ａを有する。掃除機本体２の内部には、複数、例えば２つの電動送風機９ａ、９ｂが収容される。掃除機本体２は、その上部など、電気掃除機１のユーザにとって視認性の良好な部位に、運転状態表示部１１が設けられる。掃除機本体２は、電動送風機９ａ、９ｂの排気が吐出される本体排気口１２を有する。掃除機本体２は、電源コード１３を備える。電源コード１３の自由端部には、電源プラグ１４が形成される。
【００１４】
集塵ホース３は、可撓性を有し、湾曲自在な細長略円筒状に形成される。集塵ホース３の一端は、接続口２ａに着脱自在に接続される。集塵ホース３は、掃除機本体２の内部に連通される。
【００１５】
手元操作管４の一端は、集塵ホース３の他端に設けられる。手元操作管４は、集塵ホース３を介して掃除機本体２の内部に連通される。
【００１６】
把持部５は、電気掃除機１のユーザが把持して電気掃除機１を操作するものである。把持部５は、手元操作管４の他端部に突設され、集塵ホース３が設けられた手元操作管４の一端部に向けて湾曲させて形成される。
【００１７】
操作部６は、把持部５に設けられる。電気掃除機１のユーザは、操作部６を操作して電動送風機９ａ、９ｂの運転モードを選択できる。操作部６は、電動送風機９ａ、９ｂの運転を停止させる停止スイッチ１６と、電動送風機９ａ、９ｂの運転を開始させる起動スイッチ１７と、を有する。起動スイッチ１７は、弱運転起動スイッチ１７ａと、中運転起動スイッチ１７ｂと、強運転起動スイッチ１７ｃと、を有し、電動送風機９ａ、９ｂの運転モードを択一的に選択できる。
【００１８】
延長管７は、伸縮可能な細長略円筒状に形成される。延長管７は、複数の筒状体を重ね合わせてテレスコピック構造に構成される。延長管７の一端は、手元操作管４の他端に着脱自在に接続される。延長管７は、手元操作管４、および集塵ホース３を介して掃除機本体２の内部に連通される。
【００１９】
吸込口体８は、延長管７の一端に着脱自在に接続される。吸込口体８は、延長管７、手元操作管４、および集塵ホース３を介して掃除機本体２の内部に連通される。吸込口体８は、吸込口（図示省略）を有する。吸込口体８が床面などの被掃除面に配置されると、吸込口は被掃除面に対向される。
【００２０】
図２は、本発明に係る電気掃除機の掃除機本体を部分的に切り欠いて示した平面図である。
【００２１】
図２に示すように、電気掃除機１の掃除機本体２は、接続口２ａと、集塵室１８と、塵埃分離集塵部２０と、複数、例えば２つのフィルタ部２１ａ、２１ｂと、複数の電動送風機９ａ、９ｂと、本体排気口１２と、制御部２２と、を備える。
【００２２】
接続口２ａは、集塵ホース３と塵埃分離集塵部２０とを連通させる貫通孔である。
【００２３】
集塵室１８は、接続口２ａとフィルタ部２１ａ、２１ｂとに挟まれた空間であり、塵埃分離集塵部２０が収容される。
【００２４】
塵埃分離集塵部２０は、接続口２ａに連通された集塵袋である。接続口２ａから案内される含塵空気から塵埃を分離し、捕集する。
【００２５】
フィルタ部２１ａ、２１ｂは、集塵室１８と電動送風機９ａ、９ｂとの間に設けられる。フィルタ部２１ａ、２１ｂは、塵埃分離集塵部２０で分離、捕集しきれない細かい塵埃（細塵）を空気から分離し、捕集して電動送風機９ａ、９ｂに細塵が吸い込まれるのを防止する。
【００２６】
電動送風機９ａ、９ｂは、電力が供給されて駆動されると、負圧を発生させる。この負圧はフィルタ部２１ａ、２１ｂを介して集塵室１８に作用する。集塵室１８に作用した負圧は、塵埃分離集塵部２０と、接続口２ａとを順次に経て集塵ホース３に作用する。
【００２７】
本体排気口１２は、電動送風機９ａ、９ｂの排気を掃除機本体２の外部に吐出させる。
【００２８】
制御部２２は、複数の運転モードが設定され、かつ任意の運転モードを択一的に選択可能に構成される。それぞれの運転モードは、相互に電動送風機９ａ、９ｂの運転出力を異ならして設定される。制御部２２は、選択された運転モードに対応した電力をそれぞれの電動送風機９ａ、９ｂに供給し、電動送風機９ａ、９ｂの運転出力を制御する。制御部２２における運転モードの択一的な選択は、起動スイッチ１７の操作によって行われる。
【００２９】
電気掃除機１を運転すると、電動送風機９ａ、９ｂが作動し、掃除機本体２の内に負圧が作用する。この負圧は塵埃分離集塵部２０を介して接続口２ａから集塵ホース３と手元操作管４と延長管７とを経て吸込口体８に作用する。そうすると、電気掃除機１は吸込口体８の吸込口から空気とともに被掃除面に溜まった塵埃を吸い込んで被掃除面を掃除する。吸込口体８に吸い込まれた含塵空気は、掃除機本体２に収容された塵埃分離集塵部２０によって空気と塵埃とに分離される。分離された塵埃は、塵埃分離集塵部２０に集塵される。他方、分離された空気は、電動送風機９ａ、９ｂに吸い込まれて、掃除機本体２の本体排気口１２から吐出される。
【００３０】
図３は、本発明に係る電気掃除機を示したブロック図である。
【００３１】
図３に示すように、電気掃除機１は、操作部６と、複数の電動送風機９ａ、９ｂと、電流検出部２３と、複数、例えば２つの電流遮断部２４ａ、２４ｂと、複数、例えば２つのスイッチング素子２５ａ、２５ｂと、運転状態表示部１１と、制御部２２と、を備える。
【００３２】
電動送風機９ａ、９ｂと、電流検出部２３と、電流遮断部２４ａ、２４ｂと、スイッチング素子２５ａ、２５ｂと、制御部２２とは、掃除機本体２に収容される。
【００３３】
電動送風機９ａ、９ｂと、電流遮断部２４ａ、２４ｂと、スイッチング素子２５ａ、２５ｂとは、それぞれ互いに並列に接続される。一方、電動送風機９ａと、電流遮断部２４ａと、スイッチング素子２５ａとは、直列に接続され、他方、電動送風機９ｂと、電流遮断部２４ｂと、スイッチング素子２５ｂとは、直列に接続される。ここで、電動送風機９ａと、電流遮断部２４ａと、スイッチング素子２５ａとを第一電動送風機系統２８と呼び、電動送風機９ｂと、電流遮断部２４ｂと、スイッチング素子２５ｂとを第二電動送風機系統２９と呼ぶ。
【００３４】
操作部６は、電気掃除機１のユーザが入力した操作内容に対応された操作信号を制御部２２に出力する。具体的には、操作部６は、電気掃除機１のユーザが停止スイッチ１６を操作すると、電動送風機９ａ、９ｂの停止信号Ｓｏｆｆを制御部２２に出力する。また、操作部６は、電気掃除機１のユーザが弱運転起動スイッチ１７ａを操作すると電動送風機９ａ、９ｂの弱運転信号Ｓｏｎａを制御部２２に出力する。さらに、操作部６は、電気掃除機１のユーザが中運転起動スイッチ１７ｂを操作すると電動送風機９ａ、９ｂの中運転信号Ｓｏｎｂを制御部２２に出力する。さらにまた、電気掃除機１のユーザが強運転起動スイッチ１７ｃを操作すると電動送風機９ａ、９ｂの強運転信号Ｓｏｎｃを制御部２２に出力する。
【００３５】
電動送風機９ａ、９ｂは、それぞれが接続されたスイッチング素子２５ａ、２５ｂを介して商用電源Ｅに接続される。
【００３６】
電流検出部２３は、第一電動送風機系統２８および第二電動送風機系統２９に対して直列に接続され、電動送風機９ａ、９ｂに流される電流の総和を検出し、制御部２２に出力する。電流検出部２３は、トランス式や半導体式のものが用いられる。電流検出部２３で検出される電流値Ｉは、運転モード毎に異なるとともに、ある運転モードで電動送風機９ａ、９ｂを運転した状態においても塵埃分離集塵部２０に蓄積された塵埃の量や、集塵ホース３などの風路の状態によって幅をもつ。
【００３７】
電流遮断部２４ａ、２４ｂは、電動送風機９ａ、９ｂの異常の有無を検知し、異常があれば電動送風機９ａ、９ｂに流される電流を遮断する。電流遮断部２４ａ、２４ｂは、例えば、電動送風機９ａ、９ｂの温度を検知し、過加熱に至ると電動送風機９ａ、９ｂに流される電流を遮断するサーモスタットで構成される。また、他の例として、電流遮断部２４ａ、２４ｂは、電動送風機９ａ、９ｂに流される電流を検知し、過電流に至ると電動送風機９ａ、９ｂに流される電流を遮断するヒューズで構成される。
【００３８】
スイッチング素子２５ａ、２５ｂは、制御部２２の制御に応じて電動送風機９ａ、９ｂに電力を供給する。スイッチング素子２５ａ、２５ｂは、電力制御用に双方向サイリスタや逆阻止３端子サイリスタなどの素子を用いて構成される。スイッチング素子２５ａ、２５ｂのゲート端子は、制御部２２に接続される。
【００３９】
運転状態表示部１１は、制御部２２に接続され、それぞれの電動送風機９ａ、９ｂの運転状態を表示する。運転状態表示部１１は、複数の、例えば４個のＬＥＤから構成される。
【００４０】
制御部２２は、予め設定された複数の運転モードを択一的に選択し、電動送風機９ａ、９ｂの運転制御を行う。制御部２２は、操作部６から入力された操作信号に応じて電動送風機９ａ、９ｂの運転を開始または停止させる。
【００４１】
具体的には、制御部２２は、例えば、３つの運転モード、すなわち、弱運転モードと、中運転モードと、強運転モードとが設定される。制御部２２は、操作部６から弱運転信号Ｓｏｎａが入力されると、弱運転モードを選択し、電動送風機９ａおよび電動送風機９ｂのいずれか一方を小出力、例えば約５０％出力で運転する。また、制御部２２は、操作部６から中運転信号Ｓｏｎｂが入力されると、中運転モードを選択し、電動送風機９ａおよび電動送風機９ｂのいずれか一方を大出力、例えば約１００％出力で運転する。さらに、制御部２２は、操作部６から強運転信号Ｓｏｎｃが入力されると、強運転モードを選択し、電動送風機９ａおよび電動送風機９ｂの両方を大出力で運転する。他方、制御部２２は、操作部６から停止信号Ｓｏｆｆが入力されると、電動送風機９ａ、９ｂの運転を停止する。ここで、このような制御部２２による制御を電動送風機９ａ、９ｂの運転モード制御と呼ぶ。
【００４２】
なお、制御部２２は、弱運転モードにおいて、電動送風機９ａおよび電動送風機９ｂの両方を運転し、その入力（消費電力）の合計が電動送風機９ａおよび電動送風機９ｂのいずれか一方の小出力運転における入力とほぼ等しくなるよう運転モード制御し、また、中運転モードにおいて、電動送風機９ａおよび電動送風機９ｂの両方を運転し、その入力の合計が電動送風機９ａおよび電動送風機９ｂのいずれか一方の大出力運転における入力とほぼ等しくなるよう運転モード制御することもできる。
【００４３】
また、制御部２２は、電流遮断部２４ａによって電動送風機９ａに流される電流が遮断され、もしくは電流遮断部２４ｂによって電動送風機９ｂに流される電流が遮断されたことを、電流検出部２３で検出された電流値Ｉに基づいて判断する。そして、いずれか１つ、例えば電動送風機９ａ（、もしくは電動送風機９ｂ）に流される電流が遮断されたと判断されると、他の電動送風機９ｂ（、もしくは電動送風機９ａ）に接続されたスイッチング素子２５ｂ（、もしくはスイッチング素子２５ａ）のゲート端子に制御信号を出力し、電動送風機９ｂ（、もしくは電動送風機９ａ）の運転を開始させる。ここで、このような制御部２２による制御を電動送風機９ａ、９ｂの運転切替制御と呼ぶ。
【００４４】
さらに、制御部２２は、中央処理部（図示省略）、メモリ（図示省略）等から構成される。メモリは、中央処理部が実行する制御プログラムや、必要な定数などのデータが記憶される。また、メモリは、中央処理部の演算データなどを一時記憶しておくデータ記憶領域ならびに作業領域として使用される。
【００４５】
制御部２２による電動送風機９ａ、９ｂの運転モード制御および運転切替制御をさらに詳しく説明する。
【００４６】
制御部２２は、商用交流電源Ｅが半サイクルごとに０Ｖ（ゼロクロスポイント）からＯＮするまでの時間、すなわち位相角をトリガーレベル値とする制御信号（ゲート信号）をスイッチング素子２５ｂ、もしくはスイッチング素子２５ａのゲート端子に出力し、位相制御によって電動送風機９ａ、９ｂの運転出力を制御し、運転モード制御を行う。
【００４７】
具体的には、制御部２２は、弱運転モードが選択された場合、位相角を例えば、約９０°とし、電動送風機９ａおよび電動送風機９ｂのいずれか一方に通電し、小出力運転にする。このとき、制御部２２は、電気掃除機１のユーザが停止スイッチ１６を操作する度、すなわち、操作部６から停止信号Ｓｏｆｆが入力される度に、電動送風機９ａ→電動送風機９ｂ→電動送風機９ａ………のように通電する電動送風機９ａ、９ｂを選択する。
【００４８】
また、制御部２２は、弱運転モードが選択された場合、位相角を例えば、それぞれ約４５°とし、電動送風機９ａおよび電動送風機９ｂの両方に通電し、電動送風機９ａおよび電動送風機９ｂの入力の合計が電動送風機９ａおよび電動送風機９ｂのいずれか一方の小出力運転における入力とほぼ等しくなるよう運転制御することもできる。
【００４９】
次に、制御部２２は、中運転モードが選択された場合、位相角を例えば、約１８０°とし、電動送風機９ａおよび電動送風機９ｂのいずれか一方に通電し、大出力運転にする。このとき、制御部２２は、電気掃除機１のユーザが停止スイッチ１６を操作する度、すなわち、操作部６から停止信号Ｓｏｆｆが入力される度に、電動送風機９ａ→電動送風機９ｂ→電動送風機９ａ………のように通電する電動送風機９ａ、９ｂを選択する。
【００５０】
また、制御部２２は、中運転モードが選択された場合、位相角を例えば、それぞれ約９０°とし、電動送風機９ａおよび電動送風機９ｂの両方に通電し、電動送風機９ａおよび電動送風機９ｂの入力の合計が電動送風機９ａおよび電動送風機９ｂのいずれか一方の大出力運転における入力とほぼ等しくなるよう運転制御することもできる。
【００５１】
次に、制御部２２は、強運転モードが選択された場合、位相角を例えば、約１８０°とし、電動送風機９ａおよび電動送風機９ｂの両方に通電し、両方の電動送風機９ａ、９ｂを大出力運転する。
【００５２】
なお、他の例として、制御部２２は、電流検出部２３で検出された電流値Ｉおよび操作部６から入力された操作信号に基づき、電動送風機９ａ、９ｂの入力をそれぞれの運転モードで異なる入力値Ｗに制御することによって、運転モード制御を行うこともできる。
【００５３】
この場合、制御部２２は、スイッチング素子２５ａ、２５ｂに出力する制御信号（ゲート信号）のトリガーレベル値Ｔを変化させ、それぞれの運転モード毎に電動送風機９ａ、９ｂの入力を制御する。トリガーレベル値Ｔは位相制御における位相角に相当する。運転モードは、それぞれ異なる入力値Ｗ、例えば、弱運転モードでは入力値Ｗ１、中運転モードでは入力値Ｗ２、強運転モードでは入力値Ｗ３が予め設定され、区別される。制御部２２は、弱運転モードではトリガーレベル値Ｔ＝入力値Ｗ１÷電流値Ｉ、中運転モードではトリガーレベル値Ｔ＝入力値Ｗ２÷電流値Ｉ、強運転モードではトリガーレベル値Ｔ＝入力値Ｗ３÷電流値Ｉとなるよう制御信号のトリガーレベル値Ｔを変化させる。なお、入力値Ｗ１は、例えば電動送風機９ａおよび電動送風機９ｂのいずれか一方の小出力運転における入力値である。また、入力値Ｗ２は、例えば電動送風機９ａおよび電動送風機９ｂのいずれか一方の大出力運転における入力値である。さらに、入力値Ｗ３は、例えば電動送風機９ａおよび電動送風機９ｂの両方の大出力運転における入力値である。
【００５４】
具体的には、制御部２２は、弱運転モードが選択された場合、例えば、電流検出部２３で検出される電流値Ｉに基づき位相角を制御し、電動送風機９ａおよび電動送風機９ｂのいずれか一方に通電し、小出力運転する。このとき、制御部２２は、電気掃除機１のユーザが停止スイッチ１６を操作する度、すなわち、操作部６から停止信号Ｓｏｆｆが入力される度に、電動送風機９ａ→電動送風機９ｂ→電動送風機９ａ………のように通電する電動送風機９ａ、９ｂを選択する。
【００５５】
また、制御部２２は、弱運転モードが選択された場合、例えば、電流検出部２３で検出される電流値Ｉに基づき位相角を制御し、電動送風機９ａおよび電動送風機９ｂの両方に通電し、電動送風機９ａおよび電動送風機９ｂの入力の合計が電動送風機９ａおよび電動送風機９ｂのいずれか一方の小出力運転における入力とほぼ等しくなるよう運転制御することもできる。
【００５６】
次に、制御部２２は、中運転モードが選択された場合、例えば、電流検出部２３で検出される電流値Ｉに基づき位相角を制御し、電動送風機９ａおよび電動送風機９ｂのいずれか一方に通電し、大出力運転する。このとき、制御部２２は、電気掃除機１のユーザが停止スイッチ１６を操作する度、すなわち、操作部６から停止信号Ｓｏｆｆが入力される度に、電動送風機９ａ→電動送風機９ｂ→電動送風機９ａ………のように通電する電動送風機９ａ、９ｂを選択する。
【００５７】
また、制御部２２は、中運転モードが選択された場合、例えば、電流検出部２３で検出される電流値Ｉに基づき位相角を制御し、電動送風機９ａおよび電動送風機９ｂの両方に通電し、電動送風機９ａおよび電動送風機９ｂの入力の合計が電動送風機９ａおよび電動送風機９ｂのいずれか一方の大出力運転における入力とほぼ等しくなるよう運転制御することもできる。
【００５８】
次に、制御部２２は、強運転モードが選択された場合、例えば、電流検出部２３で検出される電流値Ｉに基づき位相角を制御し、電動送風機９ａおよび電動送風機９ｂの両方に通電し、両方の電動送風機９ａ、９ｂを大出力運転する。
【００５９】
また、制御部２２は、電動送風機９ａ、９ｂの運転状態に対応させて運転状態表示部１１を動作させる。運転状態表示部１１は、電動送風機９ａの小出力運転状態を表示する第一表示部１１ａと、電動送風機９ａの大出力運転状態を表示する第二表示部１１ｂと、電動送風機９ｂの小出力運転状態を表示する第三表示部１１ｃと、電動送風機９ｂの大出力運転状態を表示する第四表示部１１ｄと、を備え、例えば、それぞれ独立したＬＥＤを用いて構成される。
【００６０】
図４から図６は、本発明に係る電気掃除機の運転切替制御を示したフローチャートである。図４は、弱運転モードもしくは中運転モードにおける運転切替制御を示したフローチャートであり、電動送風機９ａおよび電動送風機９ｂのいずれか一方を運転し、所望の運転出力を得る場合の運転切替制御を示したフローチャートである。図５は、弱運転モード、もしくは中運転モードにおける運転切替制御を示したフローチャートであり、電動送風機９ａおよび電動送風機９ｂの両方を運転し、所望の運転出力を得る場合の運転切替制御を示したフローチャートである。図６は、強運転モードにおける運転切替制御を示したフローチャートである。
【００６１】
図４に示すように、電気掃除機１は、電流遮断部２４ａまたは電流遮断部２４ｂによって電流が遮断されたことを、電流検出部２３で検出された電流値Ｉに基づいて判断するとともに、電動送風機９ａおよび電動送風機９ｂのいずれか一方に流される電流が遮断されると、他の電動送風機９ａ（、もしくは電動送風機９ｂ）の運転を開始する。
【００６２】
具体的には、電気掃除機１の制御部２２は、操作部６の弱運転起動スイッチ１７ａ、もしくは中運転起動スイッチ１７ｂが電気掃除機１のユーザに操作され、弱運転信号Ｓｏｎａ、もしくは中運転信号Ｓｏｎｂが入力されると運転切替制御を開始する。
【００６３】
ステップＳ１では、制御部２２は、弱運転モード、もしくは中運転モードのいずれか選択された運転モードで電動送風機９ａ（、もしくは電動送風機９ｂ）を運転する。
【００６４】
次に、ステップＳ２では、制御部２２は、電流検出部２３で検出された電流値Ｉが所定の電流値Ｉｓ１、例えば、０Ａより大きいか否かを判断する。電流値Ｉが所定の電流値Ｉｓ１より大きい場合は、電動送風機９ａ（、もしくは電動送風機９ｂ）の運転が正常であるとして、ステップＳ２を繰り返し、電動送風機９ａ（、もしくは電動送風機９ｂ）の運転を継続する。その他の場合は、電動送風機９ａ（、もしくは電動送風機９ｂ）の運転状態が異常であるとして、ステップＳ３に進む。電流値Ｉが所定の電流値Ｉｓ１以下になるのは、電流遮断部２４ａ（、もしくは電流遮断部２４ｂ）の作動によって電動送風機９ａ（、もしくは電動送風機９ｂ）が停止したためである。
【００６５】
次に、ステップＳ３では、制御部２２は、電動送風機９ａ（、もしくは電動送風機９ｂ）から電動送風機９ｂ（、もしくは電動送風機９ａ）に運転を切り替える。具体的には、制御部２２は、電動送風機９ａ（、もしくは電動送風機９ｂ）を運転するためにスイッチング素子２５ａ（、もしくはスイッチング素子２５ｂ）に制御信号を出力しているが、これをスイッチング素子２５ｂ（、もしくはスイッチング素子２５ａ）に切り替えて制御信号を出力する。これにより、停止した電動送風機９ａ（、もしくは電動送風機９ｂ）から電動送風機９ｂ（、もしくは電動送風機９ａ）に運転が切り替わる。このとき、制御部２２は、運転状態表示部１１の第一表示部１１ａおよび第二表示部１１ｂ（、もしくは第三表示部１１ｃおよび第四表示部１１ｄ）を点滅させるなどして、電気掃除機１のユーザに電動送風機９ａ（もしくは、電動送風機９ｂ）の異常停止を報知する。
【００６６】
次に、ステップＳ４では、制御部２２は、弱運転モード、もしくは中運転モードのいずれか選択された運転モードで電動送風機９ｂ（、もしくは電動送風機９ａ）を運転する。
【００６７】
次に、ステップＳ５では、制御部２２は、電流検出部２３で検出された電流値Ｉが所定の電流値Ｉｓ１より大きいか否かを判断する。電流値Ｉが所定の電流値Ｉｓ１より大きい場合は、電動送風機９ｂ（、もしくは電動送風機９ａ）の運転が正常であるとして、ステップＳ５を繰り返し、電動送風機９ｂ（、もしくは電動送風機９ａ）の運転を継続する。その他の場合は、電動送風機９ｂ（、もしくは電動送風機９ａ）の運転状態が異常であるとして、ステップＳ６に進む。
【００６８】
次に、ステップＳ６では、制御部２２は、電動送風機９ｂ（、もしくは電動送風機９ａ）の運転を停止し、処理を終了する。このとき、制御部２２は、運転状態表示部１１の第一表示部１１ａと、第二表示部１１ｂと、第三表示部１１ｃと、第四表示部１１ｄと、を点滅させるなどして、電気掃除機１のユーザに電動送風機９ａ、９ｂの異常停止を報知する。
【００６９】
また、図５に示すように、電気掃除機１は、電動送風機９ａ、９ｂを同時に運転している際に、電動送風機９ａおよび電動送風機９ｂのいずれか一方に流される電流が遮断されると、他の電動送風機９ａ（、もしくは電動送風機９ｂ）の運転出力を増加する。
【００７０】
具体的には、電気掃除機１の制御部２２は、操作部６の弱運転起動スイッチ１７ａ、もしくは中運転起動スイッチ１７ｂが電気掃除機１のユーザに操作され、弱運転信号Ｓｏｎａ、もしくは中運転信号Ｓｏｎｂが入力されると運転切替制御を開始する。
【００７１】
ステップＳ１１では、制御部２２は、弱運転モード、もしくは中運転モードのいずれか選択された運転モードで電動送風機９ａおよび電動送風機９ｂの両方を運転する。
【００７２】
次に、ステップＳ１２では、制御部２２は、電流検出部２３で検出された電流値Ｉが所定の電流値Ｉｓ２、例えば、選択された弱運転モード、もしくは中運転モードのいずれかの運転モード時に通常流れる程度の電流値Ｉの約７割に相当する電流値より大きいか否かを判断する。電流値Ｉが所定の電流値Ｉｓ２より大きい場合は、電動送風機９ａおよび電動送風機９ｂの運転が正常であるとして、ステップＳ１２を繰り返し、電動送風機９ａおよび電動送風機９ｂの運転を継続する。その他の場合は、電動送風機９ａまたは電動送風機９ｂの運転状態が異常であるとして、ステップＳ１３に進む。電流値Ｉが所定の電流値Ｉｓ２以下になるのは、電流遮断部２４ａまたは電流遮断部２４ｂの作動によって電動送風機９ａまたは電動送風機９ｂが停止したためである。
【００７３】
次に、ステップＳ１３では、制御部２２は、電動送風機９ａの出力を増加する。具体的には、制御部２２は、スイッチング素子２５ａに出力する制御信号の位相角を上げて電動送風機９ａの運転出力を倍増する。
【００７４】
次に、ステップＳ１４では、制御部２２は、電流検出部２３で検出された電流値Ｉが所定の電流値Ｉｓ１より大きいか否かを判断する。電流値Ｉが所定の電流値Ｉｓ１より大きい場合は、電動送風機９ａの運転が正常であるとして、ステップＳ１４を繰り返し、電動送風機９ａの運転を継続する。このとき、制御部２２は、運転状態表示部１１の第三表示部１１ｃおよび第四表示部１１ｄを点滅させるなどして、電気掃除機１のユーザに電動送風機９ｂの異常停止を報知する。
【００７５】
その他の場合は、電動送風機９ａの運転状態が異常であるとして、ステップＳ１５に進む。電流値Ｉが所定の電流値Ｉｓ１以下になるのは、電流遮断部２４ａの作動によって電動送風機９ａが停止したためである。このとき、制御部２２は、運転状態表示部１１の第一表示部１１ａおよび第二表示部１１ｂを点滅させるなどして、電気掃除機１のユーザに電動送風機９ａの異常停止を報知する。
【００７６】
次にステップＳ１５では、制御部２２は、電動送風機９ｂの出力を増加する。具体的には、制御部２２は、スイッチング素子２５ｂに出力する制御信号の位相角を上げて電動送風機９ｂの運転出力を倍増する。
【００７７】
次に、ステップＳ１６では、制御部２２は、電流検出部２３で検出された電流値Ｉが所定の電流値Ｉｓ１より大きいか否かを判断する。電流値Ｉが所定の電流値Ｉｓ１より大きい場合は、電動送風機９ｂの運転が正常であるとして、ステップＳ１６を繰り返し、電動送風機９ｂの運転を継続する。その他の場合は、電動送風機９ｂの運転状態が異常であるとして、ステップＳ１７に進む。
【００７８】
次に、ステップＳ１７では、制御部２２は、電動送風機９ｂ（、もしくは電動送風機９ａ）の運転を停止し、処理を終了する。このとき、制御部２２は、運転状態表示部１１の第一表示部１１ａと、第二表示部１１ｂと、第三表示部１１ｃと、第四表示部１１ｄと、を点滅させるなどして、電気掃除機１のユーザに電動送風機９ａ、９ｂの異常停止を報知する。
【００７９】
さらに、図６に示すように、電気掃除機１は、強運転モードにおいて、電動送風機９ａおよび電動送風機９ｂのいずれか一方に流される電流が遮断されると、他の電動送風機９ａ（、もしくは電動送風機９ｂ）の運転を継続する。
【００８０】
具体的には、電気掃除機１の制御部２２は、操作部６の強運転起動スイッチ１７ｃが電気掃除機１のユーザに操作され、強運転信号Ｓｏｎｃが入力されると運転切替制御を開始する。
【００８１】
ステップＳ２１では、制御部２２は、電動送風機９ａおよび電動送風機９ｂの両方を運転する。
【００８２】
次に、ステップＳ２２では、制御部２２は、電流検出部２３で検出された電流値Ｉが所定の電流値Ｉｓ３、例えば、強運転モード時に通常流れる程度の電流値Ｉの約７割に相当する電流値より大きいか否かを判断する。電流値Ｉが所定の電流値Ｉｓ３より大きい場合は、電動送風機９ａおよび電動送風機９ｂの運転が正常であるとして、ステップＳ２２を繰り返し、電動送風機９ａおよび電動送風機９ｂの運転を継続する。その他の場合は、電動送風機９ａまたは電動送風機９ｂの運転状態が異常であるとして、ステップＳ２３に進む。電流値Ｉが所定の電流値Ｉｓ３以下になるのは、電流遮断部２４ａまたは電流遮断部２４ｂの作動によって電動送風機９ａまたは電動送風機９ｂが停止したためである。
【００８３】
次に、ステップＳ２３では、制御部２２は、運転モードを中運転モードに切り替えて処理を終了する。この後は、制御部２２は、中運転モードにおける運転切替制御を図４のステップＳ１からステップＳ６、もしくは図５のステップＳ１１からステップＳ１６にように行う。
【００８４】
図７は、本発明に係る電気掃除機の他の例を示したブロック図である。
【００８５】
図７に示すように、電気掃除機１Ａは、操作部６と、複数の電動送風機９ａ、９ｂと、複数、例えば２つの電流検出部３１ａ、３１ｂと、複数、例えば２つの電流遮断部２４ａ、２４ｂと、複数、例えば２つのスイッチング素子２５ａ、２５ｂと、制御部２２Ａと、を備える。
【００８６】
なお、本実施形態に係る電気掃除機１Ａにおいて電気掃除機１と同じ構成には同一の符号を付し、重複する説明は省略する。
【００８７】
電流検出部３１ａ、３１ｂは、掃除機本体２に収容される。
【００８８】
電動送風機９ａ、９ｂと、電流検出部３１ａ、３１ｂと、電流遮断部２４ａ、２４ｂと、スイッチング素子２５ａ、２５ｂとは、それぞれ互いに並列に接続される。一方、電動送風機９ａと、電流検出部３１ａと、電流遮断部２４ａと、スイッチング素子２５ａとは、直列に接続され、他方、電動送風機９ｂと、電流検出部３１ｂと、電流遮断部２４ｂと、スイッチング素子２５ｂとは、直列に接続される。ここで、電動送風機９ａと、電流検出部３１ａと、電流遮断部２４ａと、スイッチング素子２５ａとを第一電動送風機系統２８Ａと呼び、電動送風機９ｂと、電流検出部３１ｂと、電流遮断部２４ｂと、スイッチング素子２５ｂとを第二電動送風機系統２９Ａと呼ぶ。
【００８９】
電流検出部３１ａ、３１ｂは、それぞれが接続された電動送風機９ａ、９ｂに流される電流を検出し、制御部２２Ａに出力する。電流検出部３１ａ、３１ｂは、トランス式や半導体式のものが用いられる。
【００９０】
制御部２２Ａは、電流遮断部２４ａによって電動送風機９ａに流される電流が遮断され、もしくは電流遮断部２４ｂによって電動送風機９ｂに流される電流が遮断されたことを、電流検出部３１ａ、３１ｂで検出された電流値Ｉに基づいて判断する。そして、いずれか１つ、例えば電動送風機９ａ（、もしくは電動送風機９ｂ）に流される電流が遮断されたと判断されると、他の電動送風機９ｂ（、もしくは電動送風機９ａ）に接続されたスイッチング素子２５ｂ（、もしくはスイッチング素子２５ａ）のゲート端子に制御信号を出力し、電動送風機９ｂ（、もしくは電動送風機９ａ）の運転を開始させる。
【００９１】
制御部２２Ａによる電動送風機９ａ、９ｂの運転モード制御および運転切替制御をさらに詳しく説明する。
【００９２】
制御部２２Ａは、制御部２２と同様に、運転モード毎に位相角を設定して運転モード制御を行うことができるとともに、他の例として電流検出部３１ａ、３１ｂで検出される電流値Ｉに基づいて運転モード毎に電動送風機９ａ、９ｂの入力を設定して運転モード制御を行うことができる。
【００９３】
具体的には、制御部２２Ａは、弱運転モードが選択された場合、例えば、電流検出部３１ａ（、もしくは電流検出部３１ｂ）で検出される電流値Ｉａ（、もしくは電流値Ｉｂ）に基づき位相角を制御し、電動送風機９ａおよび電動送風機９ｂのいずれか一方に通電し、小出力運転する。このとき、制御部２２Ａは、電気掃除機１Ａのユーザが停止スイッチ１６を操作する度、すなわち、操作部６から停止信号Ｓｏｆｆが入力される度に、電動送風機９ａ→電動送風機９ｂ→電動送風機９ａ………のように通電する電動送風機９ａ、９ｂを選択する。
【００９４】
また、制御部２２Ａは、弱運転モードが選択された場合、例えば、電流検出部３１ａおよび電流検出部３１ｂで検出されるそれぞれの電流値Ｉａ、Ｉｂに基づき位相角を制御し、電動送風機９ａおよび電動送風機９ｂの両方に通電し、電動送風機９ａおよび電動送風機９ｂの入力の合計が電動送風機９ａおよび電動送風機９ｂのいずれか一方の小出力運転における入力とほぼ等しくなるよう運転制御することもできる。
【００９５】
次に、制御部２２Ａは、中運転モードが選択された場合、例えば、電流検出部３１ａ（、もしくは電流検出部３１ｂ）で検出される電流値Ｉａ（、もしくは電流値Ｉｂ）に基づき位相角を制御し、電動送風機９ａおよび電動送風機９ｂのいずれか一方に通電し、大出力運転する。このとき、制御部２２Ａは、電気掃除機１Ａのユーザが停止スイッチ１６を操作する度、すなわち、操作部６から停止信号Ｓｏｆｆが入力される度に、電動送風機９ａ→電動送風機９ｂ→電動送風機９ａ………のように通電する電動送風機９ａ、９ｂを選択する。
【００９６】
また、制御部２２Ａは、中運転モードが選択された場合、例えば、電流検出部３１ａおよび電流検出部３１ｂで検出されるそれぞれの電流値Ｉａ、Ｉｂに基づき位相角を制御し、電動送風機９ａおよび電動送風機９ｂの両方に通電し、電動送風機９ａおよび電動送風機９ｂの入力の合計が電動送風機９ａおよび電動送風機９ｂのいずれか一方の大出力運転における入力とほぼ等しくなるよう運転制御することもできる。
【００９７】
次に、制御部２２Ａは、強運転モードが選択された場合、例えば、電流検出部３１ａおよび電流検出部３１ｂのそれぞれで検出される電流値Ｉａ、Ｉｂに基づき位相角を制御し、電動送風機９ａおよび電動送風機９ｂの両方に通電し、両方の電動送風機９ａ、９ｂを大出力運転する。
【００９８】
図８から図１０は、本発明に係る電気掃除機の運転切替制御の他の例を示したフローチャートである。図８は、弱運転モードもしくは中運転モードにおける運転切替制御を示したフローチャートであり、電動送風機９ａおよび電動送風機９ｂのいずれか一方を運転し、所望の運転出力を得る場合の運転切替制御を示したフローチャートである。図９は、弱運転モード、もしくは中運転モードにおける運転切替制御を示したフローチャートであり、電動送風機９ａおよび電動送風機９ｂの両方を運転し、所望の運転出力を得る場合の運転切替制御を示したフローチャートである。図１０は、強運転モードにおける運転切替制御を示したフローチャートである。
【００９９】
図８に示すように、電気掃除機１Ａは、電流遮断部２４ａまたは電流遮断部２４ｂによって電流が遮断されたことを、電流検出部３１ａ、３１ｂで検出されたそれぞれの電流値Ｉａ、Ｉｂに基づいて判断するとともに、電動送風機９ａおよび電動送風機９ｂのいずれか一方に流される電流が遮断されると、他の電動送風機９ａ（、もしくは電動送風機９ｂ）の運転を開始する。
【０１００】
具体的には、電気掃除機１Ａの制御部２２Ａは、操作部６の弱運転起動スイッチ１７ａ、もしくは中運転起動スイッチ１７ｂが電気掃除機１Ａのユーザに操作され、弱運転信号Ｓｏｎａ、もしくは中運転信号Ｓｏｎｂが入力されると運転切替制御を開始する。
【０１０１】
ステップＳ３１では、制御部２２Ａは、弱運転モード、もしくは中運転モードのいずれか選択された運転モードで電動送風機９ａ（、もしくは電動送風機９ｂ）を運転する。
【０１０２】
次に、ステップＳ３２では、制御部２２Ａは、電流検出部３１ａ（、もしくは電流検出部３１ｂ）で検出された電流値Ｉａ（、もしくは電流値Ｉｂ）が所定の電流値Ｉｓ１より大きいか否かを判断する。電流値Ｉａ（、もしくは電流値Ｉｂ）が所定の電流値Ｉｓ１より大きい場合は、電動送風機９ａ（、もしくは電動送風機９ｂ）の運転が正常であるとして、ステップＳ３２を繰り返し、電動送風機９ａ（、もしくは電動送風機９ｂ）の運転を継続する。その他の場合は、電動送風機９ａ（、もしくは電動送風機９ｂ）の運転状態が異常であるとして、ステップＳ３３に進む。電流値Ｉａ（、もしくは電流値Ｉｂ）が所定の電流値Ｉｓ１以下になるのは、電流遮断部２４ａ（、もしくは電流遮断部２４ｂ）の作動によって電動送風機９ａ（、もしくは電動送風機９ｂ）が停止したためである。
【０１０３】
次に、ステップＳ３３では、制御部２２Ａは、電動送風機９ａ（、もしくは電動送風機９ｂ）から電動送風機９ｂ（、もしくは電動送風機９ａ）に運転を切り替える。具体的には、制御部２２Ａは、電動送風機９ａ（、もしくは電動送風機９ｂ）を運転するためにスイッチング素子２５ａ（、もしくはスイッチング素子２５ｂ）に制御信号を出力しているが、これをスイッチング素子２５ｂ（、もしくはスイッチング素子２５ａ）に切り替えて制御信号を出力する。これにより、停止した電動送風機９ａ（、もしくは電動送風機９ｂ）から電動送風機９ｂ（、もしくは電動送風機９ａ）に運転が切り替わる。このとき、制御部２２Ａは、運転状態表示部１１の第一表示部１１ａおよび第二表示部１１ｂ（、もしくは第三表示部１１ｃおよび第四表示部１１ｄ）を点滅させるなどして、電気掃除機１のユーザに電動送風機９ａ（もしくは、電動送風機９ｂ）の異常停止を報知する。
【０１０４】
次に、ステップＳ３４では、制御部２２Ａは、弱運転モード、もしくは中運転モードのいずれか選択された運転モードで電動送風機９ｂ（、もしくは電動送風機９ａ）を運転する。
【０１０５】
次に、ステップＳ３５では、制御部２２Ａは、電流検出部３１ｂ（、もしくは電流検出部３１ａ）で検出された電流値Ｉｂ（、もしくは電流値Ｉａ）が所定の電流値Ｉｓ１より大きいか否かを判断する。電流値Ｉｂ（、もしくは電流値Ｉａ）が所定の電流値Ｉｓ１より大きい場合は、電動送風機９ｂ（、もしくは電動送風機９ａ）の運転が正常であるとして、ステップＳ３５を繰り返し、電動送風機９ｂ（、もしくは電動送風機９ａ）の運転を継続する。その他の場合は、電動送風機９ｂ（、もしくは電動送風機９ａ）の運転状態が異常であるとして、ステップＳ３６に進む。
【０１０６】
次に、ステップＳ３６では、制御部２２Ａは、電動送風機９ｂ（、もしくは電動送風機９ａ）の運転を停止し、処理を終了する。このとき、制御部２２Ａは、運転状態表示部１１の第一表示部１１ａと、第二表示部１１ｂと、第三表示部１１ｃと、第四表示部１１ｄと、を点滅させるなどして、電気掃除機１Ａのユーザに電動送風機９ａ、９ｂの異常停止を報知する。
【０１０７】
また、図９に示すように、電気掃除機１Ａは、電動送風機９ａ、９ｂを同時に運転している際に、電動送風機９ａおよび電動送風機９ｂのいずれか一方に流される電流が遮断されると、他の電動送風機９ａ（、もしくは電動送風機９ｂ）の運転出力を増加する。
【０１０８】
具体的には、電気掃除機１Ａの制御部２２Ａは、操作部６の弱運転起動スイッチ１７ａ、もしくは中運転起動スイッチ１７ｂが電気掃除機１Ａのユーザに操作され、弱運転信号Ｓｏｎａ、もしくは中運転信号Ｓｏｎｂが入力されると運転切替制御を開始する。
【０１０９】
ステップＳ４１では、制御部２２Ａは、弱運転モード、もしくは中運転モードのいずれか選択された運転モードで電動送風機９ａおよび電動送風機９ｂの両方を運転する。
【０１１０】
次に、ステップＳ４２では、制御部２２Ａは、電流検出部３１ａで検出された電流値Ｉａが所定の電流値Ｉｓ１より大きいか否かを判断する。電流値Ｉａが所定の電流値Ｉｓ１より大きい場合は、電動送風機９ａの運転が正常であるとして、ステップＳ４３に進み、電動送風機９ａの運転を継続する。その他の場合は、電動送風機９ａの運転状態が異常であるとして、ステップＳ４４に進む。電流値Ｉａが所定の電流値Ｉｓ１以下になるのは、電流遮断部２４ａの作動によって電動送風機９ａが停止したためである。このとき、制御部２２Ａは、運転状態表示部１１の第一表示部１１ａおよび第二表示部１１ｂを点滅させるなどして、電気掃除機１Ａのユーザに電動送風機９ａの異常停止を報知する。
【０１１１】
次に、ステップＳ４３では、制御部２２Ａは、電流検出部３１ｂで検出されたそれぞれの電流値Ｉｂが所定の電流値Ｉｓ１より大きいか否かを判断する。電流値Ｉｂが所定の電流値Ｉｓ１より大きい場合は、電動送風機９ｂの運転が正常であるとして、ステップＳ４２に戻り、電動送風機９ａおよび電動送風機９ｂの運転を継続する。その他の場合は、電動送風機９ｂの運転状態が異常であるとして、ステップＳ４６に進む。電流値Ｉｂが所定の電流値Ｉｓ１以上になるのは、電流遮断部２４ｂの作動によって電動送風機９ｂが停止したためである。このとき、制御部２２Ａは、運転状態表示部１１の第三表示部１１ｃおよび第四表示部１１ｄを点滅させるなどして、電気掃除機１Ａのユーザに電動送風機９ｂの異常停止を報知する。
【０１１２】
次に、ステップＳ４４では、制御部２２Ａは、電動送風機９ｂの出力を増加する。具体的には、制御部２２Ａは、スイッチング素子２５ｂに出力する制御信号の位相角を上げて電動送風機９ｂの運転出力を倍増する。
【０１１３】
次に、ステップＳ４５では、制御部２２Ａは、電流検出部３１ｂで検出された電流値Ｉｂが所定の電流値Ｉｓ１より大きいか否かを判断する。電流値Ｉｂが所定の電流値Ｉｓ１より大きい場合は、電動送風機９ｂの運転が正常であるとして、ステップＳ４５を繰り返し、電動送風機９ｂの運転を継続する。その他の場合は、電動送風機９ｂの運転状態が異常であるとして、ステップＳ４８に進む。
【０１１４】
次に、ステップＳ４６では、制御部２２Ａは、電動送風機９ａの出力を増加する。具体的には、制御部２２Ａは、スイッチング素子２５ａに出力する制御信号の位相角を上げて電動送風機９ａの運転出力を倍増する。
【０１１５】
次に、ステップＳ４７では、制御部２２Ａは、電流検出部３１ａで検出された電流値Ｉが所定の電流値Ｉｓ１より大きいか否かを判断する。電流値Ｉａが所定の電流値Ｉｓ１より大きい場合は、電動送風機９ａの運転が正常であるとして、ステップＳ４７を繰り返し、電動送風機９ａの運転を継続する。その他の場合は、電動送風機９ａの運転状態が異常であるとして、ステップＳ４８に進む。
【０１１６】
次に、ステップＳ４８では、制御部２２Ａは、電動送風機９ａおよび電動送風機９ｂの運転を停止し、処理を終了する。このとき、制御部２２Ａは、運転状態表示部１１の第一表示部１１ａと、第二表示部１１ｂと、第三表示部１１ｃと、第四表示部１１ｄと、を点滅させるなどして、電気掃除機１Ａのユーザに電動送風機９ａ、９ｂの異常停止を報知する。
【０１１７】
さらに、図１０に示すように、電気掃除機１Ａは、強運転モードにおいて、電動送風機９ａおよび電動送風機９ｂのいずれか一方に流される電流が遮断されると、他の電動送風機９ａ（、もしくは電動送風機９ｂ）の運転を継続する。
【０１１８】
具体的には、電気掃除機１Ａの制御部２２Ａは、操作部６の強運転起動スイッチ１７ｃが電気掃除機１Ａのユーザに操作され、強運転信号Ｓｏｎｃが入力されると運転切替制御を開始する。
【０１１９】
ステップＳ５１では、制御部２２Ａは、電動送風機９ａおよび電動送風機９ｂの両方を運転する。
【０１２０】
次に、ステップＳ５２では、制御部２２Ａは、電流検出部３１ａで検出された電流値Ｉａが所定の電流値Ｉｓ１より大きいか否かを判断する。電流値Ｉａが所定の電流値Ｉｓ１より大きい場合は、電動送風機９ａの運転が正常であるとして、ステップＳ５３に進み、電動送風機９ａの運転を継続する。その他の場合は、電動送風機９ａの運転状態が異常であるとして、ステップＳ５４に進む。電流値Ｉａが所定の電流値Ｉｓ１以下になるのは、電流遮断部２４ａの作動によって電動送風機９ａが停止したためである。このとき、制御部２２Ａは、運転状態表示部１１の第一表示部１１ａおよび第二表示部１１ｂを点滅させるなどして、電気掃除機１Ａのユーザに電動送風機９ａの異常停止を報知する。
【０１２１】
次に、ステップＳ５３では、制御部２２Ａは、電流検出部３１ｂで検出されたそれぞれの電流値Ｉｂが所定の電流値Ｉｓ１より大きいか否かを判断する。電流値Ｉｂが所定の電流値Ｉｓ１より大きい場合は、電動送風機９ｂの運転が正常であるとして、ステップＳ５２に戻り、電動送風機９ａおよび電動送風機９ｂの運転を継続する。その他の場合は、電動送風機９ｂの運転状態が異常であるとして、ステップＳ５４に進む。電流値Ｉｂが所定の電流値Ｉｓ１以下になるのは、電流遮断部２４ｂの作動によって電動送風機９ｂが停止したためである。このとき、制御部２２Ａは、運転状態表示部１１の第三表示部１１ｃおよび第四表示部１１ｄを点滅させるなどして、電気掃除機１Ａのユーザに電動送風機９ｂの異常停止を報知する。
【０１２２】
次に、ステップＳ５４では、制御部２２Ａは、運転モードを中運転モードに切り替えて処理を終了する。この後は、制御部２２Ａは、中運転モードにおける運転切替制御を図８のステップＳ３１からステップＳ３６、もしくは図９のステップＳ４１からステップＳ４７にように行う。
【０１２３】
なお、電気掃除機１、１Ａは、３つ以上の電動送風機を備える場合、制御部２２、２２Ａの運転モード制御および運転切替制御に準じて繰り返し部分を拡張することで容易に対応できる。
【０１２４】
本実施形態に係る電気掃除機１、１Ａによれば、制御部２２、２２Ａは、電動送風機９ａ、９ｂのいずれか一方が電流遮断部２４ａ、２４ｂの作動によって停止しても、他方の電動送風機９ａ、９ｂを運転することで、使用を継続することができる。
【０１２５】
また、電気掃除機１、１Ａによれば、電流遮断部２４ａ、２４ｂの作動によって停止した電動送風機９ａ、９ｂが何れであるかを容易に判別することが可能であり、運転状態表示部１１で電気掃除機１、１Ａのユーザに容易に報知できる。
【０１２６】
したがって、本発明に係る電気掃除機１、１Ａによれば、複数の電動送風機９ａ、９ｂ、…を備え、いずれか１つ以上の電動送風機９ａ、９ｂ、…が電流遮断部２４ａ、２４ｂ、…の動作によって運転不可能状態になっても、他の健全な電動送風機９ａ、９ｂ、…の運転を継続できる。
【符号の説明】
【０１２７】
１、１Ａ  電気掃除機
２  掃除機本体
２ａ  接続口
３  集塵ホース
４  手元操作管
５  把持部
６  操作部
７  延長管
８  吸込口体
９ａ、９ｂ  電動送風機
１１  運転状態表示部
１１ａ  第一表示部
１１ｂ  第二表示部
１１ｃ  第三表示部
１１ｄ  第四表示部
１２  本体排気口
１３  電源コード
１４  電源プラグ
１６  停止スイッチ
１７  起動スイッチ
１７ａ  弱運転起動スイッチ
１７ｂ  中運転起動スイッチ
１７ｃ  強運転起動スイッチ
１８  集塵室
２０  塵埃分離集塵部
２１ａ、２１ｂ  フィルタ部
２２、２２Ａ  制御部
２３  電流検出部
２４ａ、２４ｂ  電流遮断部
２５ａ、２５ｂ  スイッチング素子
２８、２８Ａ  第一電動送風機系統
２９、２９Ａ  第二電動送風機系統
３１ａ、３１ｂ  電流検出部
【図１】
2010220979.tif 000003
【図２】
2010220979.tif 000004
【図３】
2010220979.tif 000005
【図４】
2010220979.tif 000006
【図５】
2010220979.tif 000007
【図６】
2010220979.tif 000008
【図７】
2010220979.tif 000009
【図８】
2010220979.tif 000010
【図９】
2010220979.tif 000011
【図１０】
2010220979.tif 000012